(57)【要約】      （修正有）【課題】鍵の収納定位置として、安全で差し込み易く取り出し易く、ホルダーが不用意な移動をせず、一定の位置で長時間吊り下げて保持保管する事が出来る、吊り下げキーホルダーを提供する。【解決手段】吊り下げホルダー本体部１を、長さに長短の差を付けて丸みを有して二つ折りにして湾曲させたホルダー保持部２を形成し、その一端である短い方の先端を外方向に反りを付けて湾曲させた差し込み口押さえ部３を形成し、この時、吊り下げホルダー本体部１と差し込み口押さえ部３とは固着させず僅少の隙間を設けて開閉自在にし、その他端である長い方の先端に貫通孔を施した連結部穴４を形成して吊り下げキーホルダーを構成する。【選択図】図１
0003156956.tif 000002
【実用新案登録請求の範囲】
【請求項１】
吊り下げホルダー本体部を、長さに長短の差を付けて丸みを有して二つ折りにして湾曲させたホルダー保持部を形成し、その一端である短い方の先端を外方向に反りを付けて湾曲させた差し込み口押さえ部を形成し、この時、吊り下げホルダー本体部と差し込み口押さえ部とは固着させず僅少の隙間を設けて開閉自在にし、その他端である長い方の先端に貫通孔を施した連結部穴を形成したことを特徴とする吊り下げキーホルダー。
【請求項２】
吊り下げホルダー本体部の長い方の先端を外方向にＵ字形またはＶ字形の反りを付けて折り返した連結部フックを形成した事を特徴とする上記請求項１記載の吊り下げキーホルダー。
【考案の詳細な説明】
【技術分野】
【０００１】  本考案は、鍵をバッグやポケットやウエストなどの縁に吊り下げて保持して使うための、吊り下げキーホルダーに関するものである。
【背景技術】
【０００２】  従来、鍵をホルダーに連結して、直接バッグの底やポケットの底に入れる方法が一般的であった。また、鍵をクリップに連結してバッグの縁を摘まんで保持する吊り下げる方法の物も有った。
【先行技術文献】
【特許文献】
【０００３】
【特許文献１】  特開２００１−３０３８１１
【特許文献２】  特開２００３−３５０５６
【考案の概要】
【考案が解決しようとする課題】
【０００４】イ・ホルダーに連結した鍵を、バッグやポケットの底に直接入れると、探すのに手間が掛かりすぐ取り出せないし、ポケットの底が膨れて見苦しかった。
ロ．特許文献１のクリップ式は、つまみ部分が縁から突起しているので危険であり邪魔であった。
ハ・特許文献２の吊り下げホルダーの差し込み口寸法が固定してある物は、被保持物の縁の厚みによっては、差し込む時につっかえて差し込みにくかった。また、被保持物の薄い縁の場合は、ホルダーが左右上下に動き安定せず、落下や引き抜きの盗難に遭う恐れがあった。
本考案は、上記問題を解決する為に、鍵の収納定位置として、安全で差し込み易く取り出し易く、ホルダーが不用意な移動をせず、一定の位置で長時間吊り下げて保持保管する事が出来る、吊り下げキーホルダーを形成する事を目的とする。
【課題を解決するための手段】
【０００５】  吊り下げホルダー本体部１を、長さに長短の差を付けて丸みを有して二つ折りにして湾曲させたホルダー保持部２を形成し、その一端である短い方の先端を外方向に反りを付けて湾曲させた差し込み口押さえ部３を形成し、この時、吊り下げホルダー本体部１と差し込み口押さえ部３とは固着させず僅少の隙間を設けて開閉自在にし、その他端である長い方の先端に貫通孔を施した連結部穴４を形成したことを特徴とする吊り下げキーホルダーを提供する。
吊り下げホルダー本体部１の長い方の先端を外方向にＵ字形またはＶ字形の反りを付けて折り返した連結部フック５を形成した事を特徴とする上記記載の吊り下げキーホルダーを提供する。
【考案の効果】
【０００６】  イ．ホルダーの頭頂部に邪魔な突起物が無いので、安全且つスムースに、摘まみ易く差し込み易く見つかり易くなり、すぐ取り出せるようになった。
ロ・外方向に反りを付けた差し込み口押さえ部と吊り下げホルダー本体部は、固着しておらず、僅少の隙間を設けた事により、以下の様な相乗効果が生まれた。
イ．弾性が生じて開閉自在となる広がり又戻る作用により、厚みの有る縁をつっかえず通過した後、薄い被保持物素材をしっかりと押さえ、動かなくなった。
ロ．ホルダーを縁に差し込んだ後、不必要な移動をしないので、長時間に亘り一定位置で保持保管が出来た。
ハ．鍵の落下防止や引き抜きの盗難防止に役立った。
ハ．Ｕ字形またはＶ字形に反りを付けて折り返した連結部フックを形成したことにより、すぐ取り出したい鍵や携帯や定期券などをフックに引っ掛けて吊るし、底に入れ込まないので、すぐ見つかりすぐ取り出せて便利になった。
二．バッグの中の整理整頓に役立った。
【図面の簡単な説明】
【０００７】
【図１】本考案の第１実施例の斜視図
【図２】本考案の第１実施例の側面図
【図３】本考案の第２実施例の斜視図
【図４】本考案の第２実施例の側面図
【図５】本考案の第１、第２実施例に装飾性造形物を形成したり貼付した１例の斜視図
【図６】本考案を被保持物に装着した第１実施例の使用状態の斜視図
【考案を実施するための形態】
【０００８】図１、図２は、本考案の第１実施例である。
例えば、強固で耐久性を有する素材である樹脂や金属などで、板状または棒状の吊り下げホルダー本体部１を、長さに長短の差を付けて丸みを有して二つ折りにして湾曲させ、ホルダー保持部２を形成する。その短い方の先端を外方向に反りを付けて湾曲させた差し込み口押さえ部３を形成する。この時、吊り下げホルダー本体部１と差し込み口押さえ部３とは固着させないように僅少の隙間を設けてある。
長い方の先端に貫通孔を設けて連結部穴４を形成し一体化させた、吊り下げキーホルダーを形成する。
【０００９】図３、図４は、本考案の第２実施例である。
素材、製法とも第１実施例と同等であり、長い方の先端を外方向にＵ字形またはＶ字形の反りを付けて折り返して連結部フック５を形成して一体化させた、フック付き吊り下げキーホルダーを形成する。
【００１０】図５は、本考案の第１、第２実施例の短い方の表面に、製造過程で予め形成したり、製造後に貼付しても良い装飾性造形物である。
【実施例】
【００１１】以下、添付図面に従って実施例の説明をする。
図１と図２は、本考案の第１実施例であり、ホルダー保持部２と差し込み口押さえ部３を設けた長い方の吊り下げキーホルダー本体部１に形成した連結部穴４に、リングなどを介して諸々の鍵類を連結系止させて、例えば、被保持物であるバッグやポケットやウエストの縁に装着（図６）して、内側に吊り下げて保持保管して使用する。【００１２】図３と図４は、本考案の第２実施例であり、ホルダー保持部２ａと差し込み口押さえ部３ａを設けた吊り下げキーホルダー本体部１ａを被保持物の縁に装着させ、連結部フック５に、すぐ取り出したい物、例えば、鍵のリングや携帯のストラップや定期券などを直に引っ掛けて、底に入れ込まないで吊るして保持保管して使用する。
装着したキーホルダーを取り出す時は、第１実施例、第２実施例とも、丸みを有するホルダー保持部２、２ａを摘まんで引き抜けば良い。【００１３】  図６は、第１実施例の使用例を図示してある。第２実施例の使用例は図示していないが、基本的には第１実施例の使用例と同じである。図６を基にして使用方法を説明すると、ホルダー本体部１ａをバッグの縁に装着し、Ｕ字形、Ｖ字形のフックに直に鍵のリングや携帯ストラップや定期券などのすぐ取り出したい物を引っ掛けて吊るし、底に入れ込まない事を目的としている。
このように鍵などを縁にぶら下げて使用する方法は、バッグの底の小物や中袋の中に紛れ込むことを防ぎ、すぐ見つかりすぐ取り出せると言う効果があり、バッグの中の整理整頓にも役立つ。【００１４】  図５に示す装飾性造形物は、製造過程で形成する方法も有るが、例えば、キャラクター、花、宝飾類を焼き付けあるいは印字、等の方法で付着させれば良い。
【産業上の利用可能性】
【００１５】  本考案は、日常生活や仕事上で必要不可欠な、家の鍵や車の鍵やその他諸々の鍵類を、すぐ取り出せるように鍵の収納定位置として、バッグやポケットやウエストの縁に吊り下げて保持保管する為の吊り下げキーホルダーである。
【符号の説明】
【００１６】１．  吊り下げホルダー本体部
１ａ．吊り下げホルダー本体部
２．  ホルダー保持部
２ａ．ホルダー保持部
３．  差し込み口押さえ部
３ａ．差し込み口押さえ部
４．  連結部穴
５．  連結部フック
６．  装飾性造形物
【図１】
0003156956.tif 000003
【図２】
0003156956.tif 000004
【図３】
0003156956.tif 000005
【図４】
0003156956.tif 000006
【図５】
0003156956.tif 000007
【図６】
0003156956.tif 000008